(57)【要約】【課題】パターン予約録画のタイトルに対してユーザのチャプタ作成作業を簡略化することができる放送番組記録装置を得る。【解決手段】ランダムアクセス可能な記録媒体を有する蓄積部に放送番組を予約して記録する放送番組記録装置であって、毎日における概同時刻又は１週間のうちの所定の曜日における概同時刻に放送される番組である帯番組を一度の予約録画設定で繰り返し予約録画を実行するパターン予約録画に対して、録画済みの前記帯番組のタイトルである参考タイトルのチャプタ情報よりチャプタ作成情報を作成する録画予約管理部１５及び録画管理部１９と、受信した放送番組を録画データストリームに変換して録画データストリーム蓄積部１１１に保存する録画部１１０とを備え、録画部は、チャプタ作成情報に基づいてパターン予約録画実行時に録画データストリーム蓄積部に保存される録画データストリームの所定位置へ挿入すべきチャプタの作成を行う。【選択図】図１
2007122780.tif 000002
【特許請求の範囲】
【請求項１】
ランダムアクセス可能な記録媒体を有する蓄積部に放送番組を予約して記録する放送番組記録装置であって、
少なくとも毎日における概同時刻又は１週間のうちの所定の曜日における概同時刻に放送される番組である帯番組を一度の予約録画設定で繰り返し予約録画を実行するパターン予約録画に対して録画済みの前記帯番組のタイトルである参考タイトルのチャプタ情報よりチャプタ作成情報を作成する録画管理手段と、
受信した放送番組を録画データストリームに変換して前記蓄積部へ出力する録画手段とを備え、
前記録画手段は、前記録画管理手段からの前記チャプタ作成情報に基づいて前記パターン予約録画実行時に前記蓄積部に保存される前記録画データストリームの所定の位置に挿入すべきチャプタを作成するよう構成されている放送番組記録装置。
【請求項２】
請求項１に記載の放送番組記録装置において、前記録画手段は、パターン予約録画実行後、前記チャプタ作成情報に対応する前記参考タイトルを、前記パターン予約録画により作成された録画タイトルへ変更することを特徴とする放送番組記録装置。
【請求項３】
請求項１に記載の放送番組記録装置において、前記録画管理手段は、前記参考タイトルの前記チャプタ情報の更新に同期して前記チャプタ作成情報を更新することを特徴とする放送番組記録装置。
【発明の詳細な説明】
【技術分野】
【０００１】
本発明は、ハードディスクレコーダなどのランダムアクセス可能な記録媒体に放送番組を予約して記録する放送番組記録装置に関する。
【背景技術】
【０００２】
近年、ＶＴＲに代わり、ハードディスクレコーダに代表されるランダムアクセス可能な記録媒体を用いた放送番組記録装置が普及している。ランダムアクセス可能な記録媒体を用いた放送番組記録装置は、指定位置からの高速頭出し再生（チャプタサーチ）、ノンリニア編集など、ＶＴＲには無い機能を有する。
【０００３】
上記のランダムアクセス可能な記録媒体を用いた放送番組記録装置の機能を有効に活用するためには、録画コンテンツに対する区切りを作成することが必要となる。区切りの種類としては、映像コンテンツ単位であるタイトル及びプログラム内での区切りであるチャプタがある。タイトルについては、録画開始から録画終了を一単位とみなすことで一意に作成することができる。
【０００４】
予約録画の場合は、予約実行時ごとに録画コンテンツを別タイトルとして作成することができる。しかしながら、チャプタについては作成の明確な基準がなく、予約録画時にユーザが手動で作成することとなる。このチャプタ作成作業は煩雑であり、作業の簡略化が求められる。
【０００５】
上記要望に対し、画面上で確認しながらチャプタを作成することができるチャプタ作成ガイド機能を提供することで、チャプタ作成作業の容易化を実現するチャプタ作成ガイド機能付き記録再生装置が提案されている（例えば、下記の特許文献１参照）。
【特許文献１】特開２００２−１５２６６６号公報
【発明の開示】
【発明が解決しようとする課題】
【０００６】
しかしながら、上述したチャプタ作成ガイド機能付き記録再生装置では、チャプタ作成作業の効率は上がるものの、画面を確認しながらの作業が必要となる。例えば、連続ドラマなど、「週予約」や「毎日予約」というパターン予約録画を行っているタイトルでは、コマーシャルメッセージ（以下、ＣＭと称す）後にチャプタを作成するなどチャプタ作業内容が同じであるにもかかわらず、毎回、画面を確認しながらチャプタ作成作業を行うこととなる。
【０００７】
本発明は、このような状況を考慮してなされたもので、連続ドラマなど、「週予約」や「毎日予約」といったパターン予約録画のタイトルに対して、ユーザのチャプタ作成作業を簡略化することができる放送番組記録装置を提供することを目的とする。
【課題を解決するための手段】
【０００８】
上記目的を達成するために、本発明に係る放送番組記録装置は、ランダムアクセス可能な記録媒体を有する蓄積部に放送番組を予約して記録する放送番組記録装置であって、少なくとも毎日における概同時刻又は１週間のうちの所定の曜日における概同時刻に放送される番組である帯番組を一度の予約録画設定で繰り返し予約録画を実行するパターン予約録画に対して録画済みの前記帯番組のタイトルである参考タイトルのチャプタ情報よりチャプタ作成情報を作成する録画管理手段と、受信した放送番組を録画データストリームに変換して前記蓄積部へ出力する録画手段とを備え、前記録画手段は、前記録画管理手段からの前記チャプタ作成情報に基づいて前記パターン予約録画実行時に前記蓄積部に保存される前記録画データストリームの所定の位置に挿入すべきチャプタを作成するよう構成されている。
【０００９】
この構成により、パターン予約録画のタイトルに対して、ユーザの要望に応じたチャプタ自動作成機能を提供することが可能となる。
【００１０】
また、前記録画手段は、パターン予約録画実行後、前記チャプタ作成情報に対応する前記参考タイトルを、前記パターン予約録画により作成された録画タイトルへ変更することを特徴とする。
【００１１】
この構成により、参考タイトルはパターン予約録画により作成された最新のタイトルとなる。
【００１２】
さらに、前記録画管理手段は、前記参考タイトルの前記チャプタ情報の更新に同期して前記チャプタ作成情報を更新することを特徴とする。
【００１３】
この構成により、パターン予約録画で作成されたタイトルへのチャプタ編集は、次回のパターン予約録画へ反映され、パターン予約によって作成されたタイトルに対する繰り返しのチャプタ編集作業を不要にする。
【発明の効果】
【００１４】
本発明によれば、少なくとも、パターン予約録画に対して参考タイトルのチャプタ情報よりチャプタ作成情報を作成し、パターン予約録画実行時にチャプタ作成情報を用いてチャプタを作成することで、パターン予約録画のタイトルに対してユーザの要望に応じたチャプタ自動作成機能を提供する。
【発明を実施するための最良の形態】
【００１５】
以下、本発明の実施の形態に係る放送番組記録装置について図面を参照しながら説明する。
図１は、本発明の実施の形態に係る放送番組記録装置の構成を示すブロック図である。図１に示す構成において、ユーザ命令入力部１３は、ユーザの指示をリモコンなどの入力装置を介して受け取る。システム管理部１４は、ユーザ命令入力部１３からの入力命令を解析し、その命令内容に応じて、録画管理部１９への録画指示、再生管理部１２への再生指示、録画予約管理部１５への録画予約指示などの各種指示を出力する。
【００１６】
録画管理部１９は、システム管理部１４及び録画予約管理部１５からの指示により録画部１１０へ録画指示を出す。また、録画管理部１９は、録画管理情報を作成し、作成した録画管理情報を録画予約管理部１５を介して録画管理情報蓄積部１７へ保存する。
【００１７】
録画部１１０は、録画管理部１９からの指示に従い、アンテナを介してチューナ１８により受信した放送番組を録画データストリーム（例えば、ＭＰＥＧ２−ＴＳ）に変換し、ランダムアクセス可能な記録媒体を有する録画データストリーム蓄積部１１１へ保存して録画する。
【００１８】
録画予約管理部１５は、システム管理部１４からの指示に従い、録画予約情報を作成し、録画予約情報蓄積部１６へ保存する。また、録画予約情報蓄積部１６に蓄えられた録画予約情報に従い、録画管理部１９へ指示を出すことで録画予約を実行する。チャプタ情報収集部１１２は、録画予約管理部１５からの指示に従って録画データストリーム蓄積部１１１に蓄えられているストリームのチャプタ位置を検出する。
【００１９】
再生管理部１２は、システム管理部１４からの指示に従い、再生部１１へ再生指示を出力する。再生部１１は、再生管理部１２の指示に従い、録画データストリーム蓄積部１１１から録画データストリームを取得し、表示モニタ（図１ではモニタと記す）へ再生画像を出力する。
【００２０】
図２は、本装置で録画予約を設定する場合の、録画予約管理部１５での手順を示したフローチャートである。
まず、ステップ２１にて、システム管理部１４からの予約指示がパターン予約かどうかにより分岐を行う。ここで、パターン予約とは、毎日における概同時刻又は１週間のうちの所定の曜日における概同時刻に放送される番組である帯番組を一度の予約録画設定で繰り返し予約録画を実行するもので、例えば連続ドラマなどの「週予約」や「毎日予約」といった予約を言う。
【００２１】
ステップ２１にてパターン予約でない場合は、通常の予約処理となる。他方、ステップ２１にてパターン予約と判断された場合は、ステップ２２によりパターン予約自動チャプタ作成指示の有無により動作の分岐を行う。ステップ２２にてパターン予約自動チャプタ作成指示がない場合は、通常の予約処理となる。
【００２２】
ステップ２２にてパターン予約自動チャプタ作成指示がある場合は、ステップ２３により自動チャプタ作成プロファイルが作成され、自動チャプタ作成プロファイルへのリンク情報が録画予約情報に付加される。
【００２３】
ステップ２４により、ここまでの処理で作成された録画予約情報を録画予約情報蓄積部１６へ保存する。図３に、録画予約情報蓄積部１６へ保存される録画予約情報の一例を示す。図３に示すように、録画予約情報としては、対応する予約ＩＤ、チャンネル、録画日、録画開始時刻、録画終了時刻、パターン予約自動チャプタ作成の有無、自動チャプタ作成プロファイルへのリンク情報が保存される。
【００２４】
録画予約管理部１５は、この録画予約情報を基に、次に実行されるべき予約録画情報の録画開始時刻に、録画管理部１９へ録画指示を出すことで録画予約を実行する。
【００２５】
図４は、録画予約管理部１５による自動チャプタ作成プロファイル作成のステップ２３の内容を詳細に示したフローチャートである。
まず、ステップ４１にて、システム管理部１４からの指示内容である、ユーザ指定の帯番組のタイトルである参考タイトルの有無により分岐を行う。ここで、参考タイトルとは、録画済みの帯番組のタイトルである。ステップ４１にてユーザ指定の参考タイトルがある場合、ステップ４２にて参考タイトルのチャプタ位置を検出する。
【００２６】
次に、ステップ４３にて、上記のステップ４２の検出結果を用いて自動チャプタ作成プロファイルを作成する。ステップ４１にてユーザ指定の参考タイトルが無い場合は、ステップ４４にて自動チャプタ作成プロファイルを作成する。最後に、ステップ４５により、録画管理情報蓄積部１７へ自動チャプタ作成プロファイルが出力される。
【００２７】
図５及び図６に上述したような手順により作成された自動チャプタ作成プロファイルの一例を示す。図５は、参考タイトルが存在する場合であり、図６は、参考タイトルが存在しない場合である。自動チャプタ作成プロファイルには、対応する予約ＩＤ、参考タイトルが持つ参考ストリームＩＤ、チャプタ数、チャプタ数分のチャプタ位置が記録されている。ただし、参考タイトルが存在しない図６の場合は、参考ストリームＩＤ欄に参考ストリームが存在しないこと（ＮＵＬＬ）が示される。また、参考タイトルが存在しないため、チャプタ数は０となりチャプタ位置情報は記録されない。
【００２８】
図７は、本装置、主に録画部１１０によりパターン予約録画が実行される場合の処理の流れを示したフローチャートである。
【００２９】
まず、ステップ７１により、録画管理部１９からのパターン予約自動チャプタ作成指示の有無により分岐を行う。ステップ７１において、パターン予約自動チャプタ作成指示無しと判断された場合、ステップ７７にて通常の録画予約実行処理となる。ステップ７１において、パターン予約自動チャプタ作成指示有りと判断された場合、ステップ７２にて録画開始時刻から指定された放送の録画を開始する。
【００３０】
次に、ステップ７３により、実行中の録画予約情報にリンクされた自動チャプタ作成プロファイルに記されたチャプタ位置を用いて、録画データストリームへチャプタを作成する。この処理により、パターン予約実行時に自動的にチャプタが作成される。
【００３１】
さらに、ステップ７４により、録画終了時刻で録画を終了する。そして、ステップ７５により、作成された録画データストリームを録画データストリーム蓄積部１１１へ出力して蓄積する。
【００３２】
最後に、ステップ７６により、実行中の録画予約情報にリンクされた自動チャプタ作成プロファイルの参考ストリームＩＤ欄を、上記のステップ７５により録画データストリーム蓄積部１１１へ出力された録画データストリームのＩＤに変更する。すなわち、パターン予約録画実行後、チャプタ作成情報に対応する参考タイトルをパターン予約録画により作成された録画タイトルへ変更する。この作業により、自動チャプタ作成プロファイルが参考とするタイトルはパターン予約録画により作成された最新のタイトルとなる。
【００３３】
図８は、主に録画管理部１９により、録画データストリーム蓄積部１１１へ蓄積される録画データストリームに対し、チャプタ作成、削除、変更（以下、チャプタ編集）を行った場合における自動チャプタ作成プロファイルへの反映手順を示したフローチャートである。
【００３４】
まず、ステップ８１により、チャプタ編集を行った録画データストリームＩＤと自動チャプタ作成プロファイルの参考データストリームＩＤが一致するかどうかを判断する。
ステップ８１にて録画データストリームＩＤと参考データストリームＩＤが一致した場合、ステップ８２により、自動チャプタ作成プロファイルの更新を行う。具体的には、チャプタ編集を行った録画データストリームのチャプタ数、チャプタ位置を自動チャプタ作成プロファイルへ上書き記録する。
【００３５】
ステップ８１にて録画データストリームＩＤと参考データストリームＩＤが不一致の場合、ステップ８２の処理を行わない。そして、ステップ８１以下の処理を自動チャプタ作成プロファイル全部に対して行うことで、自動チャプタ作成プロファイルの更新を行う。
【００３６】
すなわち、図８の手順によれば、参考タイトルのチャプタ情報の更新に同期してチャプタ作成情報を更新することで、パターン予約録画で作成されたタイトルへのチャプタ編集は、次回のパターン予約録画へ反映される。よって、ユーザはパターン予約によって作成されたタイトルに対する繰り返しのチャプタ編集作業から解放されることができる。
【００３７】
上述したように本発明の放送番組記録装置は、パターン予約録画に対して参考タイトルのチャプタ情報よりチャプタ作成情報を作成し、パターン予約録画実行時に前記チャプタ作成情報を用いてチャプタを作成することで、パターン予約録画のタイトルに対してユーザの要望に応じたチャプタを自動作成することができる。このため、特に、連続ドラマなど「週予約」や「毎日予約」というパターン予約録画のタイトルに対して、ユーザのＣＭ部分へのチャプタ作成作業を簡略化するのに好適である。
【図面の簡単な説明】
【００３８】
【図１】本発明の実施の形態１に係る放送番組記録装置の構成を示すブロック図である。
【図２】図１の録画予約管理部における録画予約設定手順を示すフローチャートである。
【図３】図１の録画予約情報蓄積部へ保存される録画予約情報の一例を示す図である。
【図４】図２における自動チャプタ作成プロファイル作成処理の内容を示したフローチャートである。
【図５】図１の録画管理情報蓄積部へ保存される参考タイトルが存在する場合の自動チャプタ作成プロファイルの一例を示す図である。
【図６】図１の録画管理情報蓄積部へ保存される参考タイトルが存在しない場合の自動チャプタ作成プロファイルの一例を示す図である。
【図７】図１の録画部によりパターン予約録画が実行される場合の処理の流れを示したフローチャートである。
【図８】本発明の実施の形態において録画データストリームに対しチャプタ編集を行った場合における自動チャプタ作成プロファイルへの反映手順を示したフローチャートである。
【符号の説明】
【００３９】
１１  再生部
１２  再生管理部
１３  ユーザ命令入力部
１４  システム管理部
１５  録画予約管理部
１６  録画予約情報蓄積部
１７  録画管理情報蓄積部
１８  チューナ
１９  録画管理部
１１０  録画部
１１１  録画データストリーム蓄積部
１１２  チャプタ情報収集部
【図１】
2007122780.tif 000003
【図２】
2007122780.tif 000004
【図３】
2007122780.tif 000005
【図４】
2007122780.tif 000006
【図５】
2007122780.tif 000007
【図６】
2007122780.tif 000008
【図７】
2007122780.tif 000009
【図８】
2007122780.tif 000010